(57)【要約】【課題】火力表示を行う発光部を含む電装部品を片面実装型の電装基板に搭載することができるガスコンロを提供する。【解決手段】パネル装置のパネル本体部１００は、前壁部１１０に操作つまみが配置される貫通穴１２０、１２５を有する。貫通穴１２０、１２５の縁部上側には、火力表示を行うＬＥＤ光が導かれる筒状の導光部１３０、１３５が設けられる。導光部１３０、１３５は夫々複数が周方向に配列され、連結して円弧状の壁状に形成される。導光部１３０の導光部１３５側の左側面１３２と、導光部１３５の導光部１３０側の右側面１３７と、前壁部１１０の後面１１１は、凹部状の領域Ｓを形成する。電装基板に搭載するＬＥＤは、導光部１３０、１３５の筒穴１３１、１３６内に配置する。電装基板は、コントローラと電気的に接続するケーブル用のコネクタが、領域Ｓに配置されるように実装することで、片面実装基板を用いることができる。【選択図】図４
2019035511.tif 000002
【特許請求の範囲】
【請求項１】
バーナが設けられる筐体と、
前記筐体内の前部に配置され、前記バーナにガスを供給し、且つ前記バーナへのガスの供給と遮断の操作を行う操作部を備える燃料供給装置と、
前記燃料供給装置の前方にて前記筐体に固定され、前記操作部の操作状態を示すパネル装置と、
を備えたガスコンロであって、
前記燃料供給装置は複数あり、前記筐体の前部にて左右に並べて配置されており、
前記操作部は、少なくともガスの供給時には前記パネル装置の前面に対して突出した状態にあり、回動操作によって前記バーナに供給するガスの供給量を調整可能な操作つまみを含み、
前記パネル装置は、
少なくとも光を発する発光部と、前記発光部の制御信号を伝送する信号線が接続されるコネクタとを含む電装部品が、一方の面である実装面に実装される片面実装型の電装基板と、
前記燃料供給装置の前方にて前記筐体に固定され、前記パネル装置の前壁部を前後方向に貫通し、隣り合う前記燃料供給装置の前記操作つまみの夫々が配置される少なくとも２つの貫通穴と、
前記前壁部の後面側に設け、前記実装面を前方へ向けた前記電装基板を固定する固定部と、前記２つの貫通穴夫々の縁部上側に設け、前記前壁部から後方へ向けて前記実装面における前記コネクタの表面高さよりも長く延び、且つ前記発光部に対向し、前記発光部から出射される光を、前記前壁部を介し、前記パネル装置の前方へ導く少なくとも２つの導光部と、を有するパネル本体と、
を備え、
前記コネクタは、前記実装面において、前記電装基板が前記固定部に固定された場合に、前記２つの導光部夫々の側面のうち、隣の前記導光部側に位置する夫々の側面と、前記前壁部の後面とで形成される領域内に配置される部位に実装されていること
を特徴とするガスコンロ。
【請求項２】
前記導光部は、前記前後方向に延び、前記貫通穴の上側にて整列した状態で配置した複数の筒状体であり、
前記発光部は、前記複数の筒状体夫々の筒穴に対応する位置にて整列した状態で配置した複数のＬＥＤであり、
前記固定部の前記実装面に当接する面は、前記導光部の後面と同じ平面上に形成したことを特徴とする請求項１に記載のガスコンロ。
【請求項３】
前記パネル装置は、前記前壁部の上端部で、前記電装基板が前記固定部に固定された場合の前記電装基板の上縁部よりも上側に、前記電装基板の後面よりも後方に突出する上壁部を備え、
前記上壁部は、下面から下方へ向けて突出し、先端部が鉤状に屈曲する引掛部を備えたこと
を特徴とする請求項１又は２に記載のガスコンロ。
【請求項４】
前記コネクタは、前記実装面において前記電装基板の中央よりも前記上縁部寄りの部位に設け、
前記電装基板が前記固定部に固定された場合に、前記パネル装置の前記上壁部と、前記電装基板の前記上縁部との間には、前記信号線を前記コネクタに接続する前記信号線の端子部の大きさに対応する間隙が設けられたこと
を特徴とする請求項３に記載のガスコンロ。
【請求項５】
前記パネル装置は、
前記前壁部の側端部にて、前記電装基板の後面よりも後方に突出する側壁部と、
前記貫通穴の前記側壁部寄りの縁部にて、前記電装基板の後面よりも後方に突出する案内壁部と、
を備え、
前記側壁部と前記案内壁部は左右方向に対向し、前記信号線は、前記パネル装置内で、前記側壁部と前記案内壁部の間を通る経路で敷設されること
を特徴とする請求項１から４のいずれかに記載のガスコンロ。
【発明の詳細な説明】
【技術分野】
【０００１】
本発明はガスコンロに関する。
【背景技術】
【０００２】
ガスコンロは、バーナにガスを供給する燃料供給装置を備える。例えば特許文献１に記載の燃焼量調整体は、少なくとも操作時にはパネル装置の前面よりも前方に突出した状態になり、回動操作可能な操作つまみを備える。燃焼量調整体は、操作つまみの回動量に応じてバーナに供給するガスの供給量を変更し、火力を調整する。
【０００３】
このようなガスコンロにおいて、火力表示は、パネル装置に開口する操作つまみの開口部の上側に並べて設けた複数のＬＥＤの点灯によって行われる。パネル装置の前壁部には、光を透過する部材等が用いられる。よって、火力の表示を行うＬＥＤは、パネル装置の裏側に配置される電装基板の前面に搭載される。電装基板は、前面をパネル装置の後面に対向させた状態でパネル装置に固定され、パネル装置の前壁部を介してＬＥＤ光を前方に照射する。また、電装基板は、信号線を介してガスコンロの制御基板と接続するので、信号線に接続するためのコネクタを搭載する。ガスコンロ内における信号線の取り回しを容易にするため、コネクタから信号線の抜き差しが容易に行えるように、一般的に、コネクタは電装基板の後面に搭載される。故に電装基板には、両面実装型の電装基板が用いられる。
【先行技術文献】
【特許文献】
【０００４】
【特許文献１】特開２０１５−３６５９３号公報
【発明の概要】
【発明が解決しようとする課題】
【０００５】
ガスコンロの製造コストを削減する要望がある。そこで、片面実装型の電装基板を用いることを検討した場合、ＬＥＤ光を前方に照射するためにはＬＥＤを電装基板の前面に搭載する必要があるので、コネクタも前面に搭載する必要が生ずる。しかしながら、コネクタを電装基板の前面に搭載した場合、コネクタは、パネル装置の後面と電装基板の前面との間に位置することになる。コネクタは、ＬＥＤよりも電装基板の表面における高さが高いため、パネル装置の後面と干渉する可能性があった。
【０００６】
本発明の目的は、火力表示を行う発光部を含む電装部品を片面実装型の電装基板に搭載することができるガスコンロを提供することである。
【課題を解決するための手段】
【０００７】
本発明の請求項１に係る発明のガスコンロは、バーナが設けられる筐体と、前記筐体内の前部に配置され、前記バーナにガスを供給し、且つ前記バーナへのガスの供給と遮断の操作を行う操作部を備える燃料供給装置と、前記燃料供給装置の前方にて前記筐体に固定され、前記操作部の操作状態を示すパネル装置と、を備えたガスコンロであって、前記燃料供給装置は複数あり、前記筐体の前部にて左右に並べて配置されており、前記操作部は、少なくともガスの供給時には前記パネル装置の前面に対して突出した状態にあり、回動操作によって前記バーナに供給するガスの供給量を調整可能な操作つまみを含み、前記パネル装置は、少なくとも光を発する発光部と、前記発光部の制御信号を伝送する信号線が接続されるコネクタとを含む電装部品が、一方の面である実装面に実装される片面実装型の電装基板と、前記燃料供給装置の前方にて前記筐体に固定され、前記パネル装置の前壁部を前後方向に貫通し、隣り合う前記燃料供給装置の前記操作つまみの夫々が配置される少なくとも２つの貫通穴と、前記前壁部の後面側に設け、前記実装面を前方へ向けた前記電装基板を固定する固定部と、前記２つの貫通穴夫々の縁部上側に設け、前記前壁部から後方へ向けて前記実装面における前記コネクタの表面高さよりも長く延び、且つ前記発光部に対向し、前記発光部から出射される光を、前記前壁部を介し、前記パネル装置の前方へ導く少なくとも２つの導光部と、を有するパネル本体と、を備え、前記コネクタは、前記実装面において、前記電装基板が前記固定部に固定された場合に、前記２つの導光部夫々の側面のうち、隣の前記導光部側に位置する夫々の側面と、前記前壁部の後面とで形成される領域内に配置される部位に実装されていることを特徴とする。
【０００８】
請求項２に係る発明のガスコンロは、請求項１に記載の発明の構成に加え、前記導光部は、前記前後方向に延び、前記貫通穴の上側にて整列した状態で配置した複数の筒状体であり、前記発光部は、前記複数の筒状体夫々の筒穴に対応する位置にて整列した状態で配置した複数のＬＥＤであり、前記固定部の前記実装面に当接する面は、前記導光部の後面と同じ平面上に形成したことを特徴とする。
【０００９】
請求項３に係る発明のガスコンロは、請求項１又は２に記載の発明の構成に加え、前記パネル装置は、前記前壁部の上端部で、前記電装基板が前記固定部に固定された場合の前記電装基板の上縁部よりも上側に、前記電装基板の後面よりも後方に突出する上壁部を備え、前記上壁部は、下面から下方へ向けて突出し、先端部が鉤状に屈曲する引掛部を備えたことを特徴とする。
【００１０】
請求項４に係る発明のガスコンロは、請求項３に記載の発明の構成に加え、前記コネクタは、前記実装面において前記電装基板の中央よりも前記上縁部寄りの部位に設け、前記電装基板が前記固定部に固定された場合に、前記パネル装置の前記上壁部と、前記電装基板の前記上縁部との間には、前記信号線を前記コネクタに接続する前記信号線の端子部の大きさに対応する間隙が設けられたことを特徴とする。
【００１１】
請求項５に係る発明のガスコンロは、請求項１から４のいずれかに記載の発明の構成に加え、前記パネル装置は、前記前壁部の側端部にて、前記電装基板の後面よりも後方に突出する側壁部と、前記貫通穴の前記側壁部寄りの縁部にて、前記電装基板の後面よりも後方に突出する案内壁部と、を備え、前記側壁部と前記案内壁部は左右方向に対向し、前記信号線は、前記パネル装置内で、前記側壁部と前記案内壁部の間を通る経路で敷設されることを特徴とする。
【発明の効果】
【００１２】
請求項１に係る発明のガスコンロによれば、２つの導光部は、コネクタの表面高さよりも長く前後方向に延びる。固定部に電装基板を固定したとき、導光部が電装基板の発光部に対向するので、実装面と前壁部の後面との間には、導光部の前後方向の長さ分の間隙が形成される。また、導光部が隣り合う貫通穴の縁部上側に夫々位置する形態であるので、２つの導光部の側面のうち、隣の導光部側に位置する夫々の側面は、左右方向において間隙を形成する。よって、導光部の側面と前壁部の後面との間には、コネクタを配置可能な領域が形成される。電装基板の実装面において、電装基板を固定部に固定した時に上記の領域内にコネクタが配置される部位にコネクタを実装することで、コネクタが前壁部とも導光部とも干渉することなく、電装基板をパネル装置に組み付けることができる。故に、電装基板として片面実装型の電装基板を使用することができ、ガスコンロの製造コストを低減することができる。
【００１３】
請求項２に係る発明のガスコンロによれば、請求項１に記載の発明の効果に加え、導光部を構成する夫々の筒状体の筒穴内にＬＥＤを夫々配置し、実装面を固定部に当接させて電装基板を固定することで、導光部からの光漏れを抑制することができる。また、筒穴を介することで効率よくＬＥＤ光を前方に照射することができるので、操作つまみの回動位置に対応する火力表示の認識性を高めることができる。
【００１４】
請求項３に係る発明のガスコンロによれば、請求項１又は２に記載の発明の効果に加え、ガスコンロの使用時に煮汁等がこぼれてパネル装置内に進入したとき、上壁部は、煮汁が電装基板に付着することを防止することができる。また、コネクタに接続される信号線を引掛部に引っ掛けることで、パネル装置内で信号線が上壁部の下側に配置されるように位置決めすることができるので、煮汁が信号線に付着し、信号線を伝って電装基板に付着することを防止することができる。
【００１５】
請求項４に係る発明のガスコンロによれば、請求項３に記載の発明の効果に加え、コネクタが電装基板の上端部寄りにあり、パネル装置の上壁部と上端部との間に、信号線の端子部の大きさに対応する間隙が設けられている。故に、電装基板を固定部に固定した状態でもコネクタに信号線の端子部を抜き差しできるので、ガスコンロ内における信号線の取り回しを容易に行うことができる。
【００１６】
請求項５に係る発明のガスコンロによれば、請求項１から４のいずれかに記載の発明の効果に加え、パネル装置内で信号線が側壁部と案内壁部の間を通る経路で敷設されるように位置決めすることができるので、信号線が燃料供給装置に接触することを防止できる。
【００１７】
なお、本発明は、請求項１から５の夫々の発明特定事項を任意に組み合わせてもよい。
【図面の簡単な説明】
【００１８】
【図１】ガスコンロ１の斜視図である。
【図２】燃料供給装置２０の斜視図である。
【図３】パネル装置９Ｂの分解斜視図である。
【図４】パネル本体部１００の上側部分１０２を後方から見た斜視図である。
【図５】電装基板６０の正面図である。
【図６】電装基板６０を組み付けたパネル本体部１００の上側部分１０２を後方から見た斜視図である。
【図７】パネル本体部２００を後方から見た斜視図である。
【発明を実施するための形態】
【００１９】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２０】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００２１】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００２２】
図２を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００２３】
図２に示すように、燃料供給装置２０は、操作つまみ１４の押し込み操作と回動操作により、左バーナ５の点火と消火、及び左バーナ５に供給するガス量の調節を行う装置である。押し込み操作は、操作つまみ１４の前面を後方へ押圧し、ガスコンロ１の前面よりも奥側に押し込む操作である。回動操作は、操作つまみ１４の側面を把持し、前後方向の軸（軸心ＡＸ）を中心に回転する操作である。燃料供給装置２０は、操作部２１、ガス流路部２２、火力調節カム２６、流量調節部３１等を備える。
【００２４】
操作部２１は操作つまみ１４、プッシュ・プッシュ機構２４、連結部材２５を備える。連結部材２５は後述する。操作つまみ１４は略円柱状に形成される。操作つまみ１４は、ガスコンロ１の後方へ向けて押し込み移動させることにより、待機位置、押込位置、操作位置の各位置に移動する。待機位置は、操作つまみ１４の先端面が、ガスコンロ１の前面とほぼ面一となる位置である。待機位置において、操作つまみ１４の先端面は、ガスコンロ１の前面よりも僅かに後側に位置してもよいし、僅かに前側に位置してもよい。なお、図２に示す燃料供給装置２０は、操作つまみ１４が待機位置に位置する。押込位置は、操作つまみ１４の先端面が、ガスコンロ１の前面よりも後方に押し込まれた位置である。操作つまみ１４は、押込位置にて待機位置よりも後方に位置する。操作位置は、操作つまみ１４の先端面が、ガスコンロ１の前面に対して突出する位置である。操作つまみ１４は、操作位置にて待機位置よりも前方に位置する。操作位置にあるとき、操作つまみ１４は、前後方向に沿う軸心ＡＸを中心に回転可能（回動操作可能）である。
【００２５】
プッシュ・プッシュ機構２４は、操作つまみ１４を待機位置、押込位置、操作位置の各位置にて位置決めし、各位置に応じて後述するメイン弁（図示略）を開放状態又は閉鎖状態に維持する。プッシュ・プッシュ機構２４の内部には、操作つまみ１４の押し込み操作に合わせて前後方向に移動するスライダ（図示略）と、スライダを前方へ向けて付勢するバネと、メイン弁を駆動する弁駆動部（図示略）が設けられる。スライダには公知のカム機構（図示略）が設けられる。スライダは、操作つまみ１４が押し込み操作される度に、操作つまみ１４を待機位置から押込位置を経て操作位置に移動する動作と、操作位置から押込位置を経て待機位置に移動する動作とを繰り返す。弁駆動部は、操作つまみ１４が待機位置から操作位置に移動する動作に連動してメイン弁を開放し、且つ開放状態に維持する動作を行い、操作つまみ１４が操作位置から待機位置に移動する動作に連動してメイン弁を閉鎖し、且つ閉鎖状態に維持する動作を行う。
【００２６】
ガス流路部２２は、プッシュ・プッシュ機構２４の後側に連結される。ガス流路部２２の内部には第一ガス通路（図示略）が形成される。第一ガス通路は、下部に開口する導入口２３に接続するガス供給管（図示略）から供給されるガスを、流量調節部３１に流通する。第一ガス通路には安全弁（図示略）とメイン弁（図示略）が設けられる。安全弁は、第一ガス通路を閉じる閉状態に弾性付勢された電磁操作式の弁である。メイン弁は、操作つまみ１４の押し込み操作に応じて第一ガス通路の開閉を行う弁である。なお、メイン弁と安全弁は何れも周知のものであるので、動作の詳細な説明は省略する。
【００２７】
流量調節部３１はプッシュ・プッシュ機構２４とガス流路部２２の上部に設けられる。流量調節部３１の内部には第二ガス通路（図示略）が形成される。第二ガス通路は、ガス流路部２２から供給されるガスを流通し、上部に開口する流出口３２に接続されるガス供給管（図示略）を介して左バーナ５に供給する。流量調節部３１の前端部には第二ガス通路に連通する穴部３０が形成され、ニードル弁２８が挿入される。ニードル弁２８は、前端部側が穴部３０から外部に露出され、後端部側が第二ガス通路内にて前後方向に移動可能に配置される。ニードル弁２８の前端部には、上下方向に延びるピン２９が設けられる。ピン２９の下端部は、火力調節カム２６のカム溝２７（後述）に係合する。
【００２８】
火力調節カム２６は略半円筒状に形成され、プッシュ・プッシュ機構２４の前端側上部を覆うようにして、軸心ＡＸの回りを回転可能に設けられる。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回転すると、カム溝２７がピン２９を案内し、ニードル弁２８を前後方向に移動する。
【００２９】
火力調節カム２６は、前方に延びる延伸部（図示略）を備え、延伸部の前端部分に内向きに突出する歯部３５（図３参照）を有する。歯部３５は操作つまみ１４が操作位置にあるときに連結部材２５の歯部３８（後述）に噛合し、連結部材２５を介して火力調節カム２６を操作つまみ１４と共に軸心ＡＸを中心に回転する。火力調節カム２６の延伸部の外周面には、ＬＥＤ操作部材３６が固定される。ＬＥＤ操作部材３６は、前方に延びる係合片３７を有する。ＬＥＤ操作部材３６は鍔付筒部７０（後述）に係合し、鍔付筒部７０を火力調節カム２６と共に軸心ＡＸを中心に回転する。
【００３０】
操作部２１の連結部材２５は、プッシュ・プッシュ機構２４のスライダから前方に延び、軸心ＡＸを軸とする軸体（図示略）に係合する。連結部材２５は、前端部にて操作つまみ１４を一体に固定し、操作つまみ１４と共に軸心ＡＸを中心に回転可能に設けられる。連結部材２５は、後端部外周面に、火力調節カム２６の歯部３５に噛合する歯部３８を有する。操作つまみ１４が操作位置にあるとき、連結部材２５の歯部３８は火力調節カム２６の歯部３５と噛合し、操作つまみ１４と火力調節カム２６を連結する。操作つまみ１４が操作位置にない場合には、火力調節カム２６の歯部３５は連結部材２５の歯部３８の前方に位置して噛合せず、操作つまみ１４と火力調節カム２６の連結状態を解除する。
【００３１】
次に、操作つまみ１４の回動操作による点火及び消火と火力の調節について説明する。左バーナ５の消火時、操作つまみ１４は、待機位置にある。ユーザが操作つまみ１４を押し込み、操作つまみ１４が押込位置に移動する過程で、安全弁とメイン弁が開放され、イグナイタ（図示略）によって左バーナ５が点火される。ユーザが操作つまみ１４から手を離すと、操作つまみ１４はバネの付勢により操作位置に移動する。安全弁とメイン弁は開放状態に維持される。連結部材２５によって、操作つまみ１４と火力調節カム２６が連結される。
【００３２】
操作つまみ１４が操作位置にある状態で操作つまみ１４が回動操作されると、火力調節カム２６は操作つまみ１４と共に軸心ＡＸの回りを回転する。火力調節カム２６が回転すると、ニードル弁２８のピン２９がカム溝２７に案内されて、前後方向に移動する。これにより、ニードル弁２８が前後方向に移動するので、ニードル弁２８の位置に応じて、第二ガス通路を流通するガスの流量が調節され、左バーナ５の火力が変更される。
【００３３】
ユーザが操作つまみ１４を押し込み、操作つまみ１４が押込位置に移動する過程で、安全弁とメイン弁が閉鎖される。左バーナ５は消火する。ユーザが操作つまみ１４から手を離すと、操作つまみ１４はバネの付勢により待機位置に移動する。安全弁とメイン弁は閉鎖状態に維持される。
【００３４】
このように、燃料供給装置２０は、操作つまみ１４の回動操作に伴い、火力調節カム２６がニードル弁２８を移動することによって、流量調節部３１の第二ガス通路を流通するガスの流量を無段階に調節する。即ち、操作つまみ１４の回転量に応じて、左バーナ５の火力がリニアに変化する。右バーナ４、奥バーナ６に夫々対応する操作つまみ１１、１３についても同様である。ガスコンロ１は、操作つまみ１１、１３、１４の夫々の回転量に応じた火力表示を行うため、前面に設けるパネル装置９Ａ、９Ｂに火力表示機能を備える。
【００３５】
図１に示すように、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００３６】
なお、グリル装置の燃料供給装置は、操作つまみ１２の回転位置に応じてオン・オフが切り替わる複数のスイッチ（図示略）を備える。グリル装置の流量調節部は、複数のスイッチのオン・オフの状態に応じて複数の電磁弁の開閉状態を切り替えることによって、グリルバーナの火力調節を行う。従って、グリル装置の火力表示は、複数のスイッチのオン・オフの状態に合わせ、パネル装置９Ａに設けたＬＥＤの点灯・消灯の状態を段階的に切り替えることによって行われる。
【００３７】
これに対し、パネル装置９Ａにおける右バーナ４の火力表示と、パネル装置９Ｂにおける左バーナ５と奥バーナ６の火力表示を行う上で、燃料供給装置２０は、操作つまみ１１、１３、１４の回転量を検出するエンコーダを搭載しない。よって、パネル装置９Ａ、９Ｂは、操作つまみ１１、１３、１４の回転位置に応じてＬＥＤの点灯・消灯の状態を切り替える制御は行わない。本実施形態では、パネル装置９Ａ、９Ｂは、操作つまみ１１、１３、１４の回転位置に対応する位置のＬＥＤ光を透過し、他の位置のＬＥＤ光を遮蔽することによって火力表示を行う。
【００３８】
図２〜図５を参照し、パネル装置９Ｂについて説明する。なお、パネル装置９Ａにおける右バーナ４の火力表示に係る部分の構成は、パネル装置９Ｂにおける左バーナ５、奥バーナ６の火力表示に係る部分の構成と同じである。よって、パネル装置９Ａの構成は、パネル装置９Ｂの構成に準ずるものとして、説明を省略する。
【００３９】
図３に示すように、パネル装置９Ｂは、パネル本体部１００、電装基板６０、鍔付筒部７０、化粧パネル８０を備える。パネル本体部１００は、筐体２の前端部に組み付けられる。パネル本体部１００の下側部分１０１は箱型に形成され、操作パネル（図示略）が収容される。図３、図４に示すように、パネル本体部１００の上側部分１０２は、下側部分１０１から上方へ向けて板状に突出する前壁部１１０を有する。前壁部１１０の上端部、左端部、及び右端部は、夫々後方に突出する上壁部１１５、左壁部１１７、右壁部１１８を形成する。
【００４０】
前壁部１１０には、前後方向に貫通する２つの貫通穴１２０、１２５が左右方向に並んで形成される。貫通穴１２０、１２５の内径は、操作つまみ１３、１４の外径より大きい。左バーナ５と奥バーナ６の燃料供給装置２０は、左右に並べた状態で、取付金具３３を用い、前壁部１１０に後側から固定される。奥バーナ６用の燃料供給装置２０の連結部材２５と操作つまみ１３は、貫通穴１２０内に配置される。左バーナ５用の燃料供給装置２０の連結部材２５と操作つまみ１４は、貫通穴１２５内に配置される。
【００４１】
２つの貫通穴１２０、１２５の縁部上側には、夫々、複数の導光部１３０、１３５が周方向に並んで設けられる。導光部１３０、１３５は、前壁部１１０から後方へ向けて前後方向に延びる筒状体であり、夫々、貫通穴１２０、１２５上側の縁部分から後方に突出する。本実施形態では、導光部１３０、１３５は夫々７つずつ設けられ、周方向に連結されて円弧状の壁状を呈する。導光部１３０、１３５の夫々の筒穴１３１、１３６は、互いに独立に形成される。
【００４２】
図４に示すように、導光部１３０の左端部と、導光部１３５の右端部は接続し、背面視、上側に凸状の円弧を左右に連結した形状を呈する。導光部１３０の左側面１３２と、導光部１３５の右側面１３７は、左右方向において対面し、前壁部１１０の後面１１１を底面とする凹部の一側面を構成する。導光部１３０の左側面１３２と、導光部１３５の右側面１３７と、前壁部１１０の後面１１１とは、前壁部１１０の後側に、凹部状の領域Ｓを形成する。領域Ｓは、後述する電装基板６０のコネクタ６６（図５参照）を配置可能な大きさを有する。導光部１３０、１３５の周囲には、後述する電装基板６０を前壁部１１０にネジで固定するネジ穴である複数の固定部１１３と、電装基板６０を位置決めする突起部１１４が設けられる。突起部１１４は、貫通穴１２０の右側と、貫通穴１２５の左側に設けられ、後方に突出する。導光部１３０、１３５の後面には電装基板６０の実装面６１（図５参照）が当接する。
【００４３】
上壁部１１５の下面１１６は、導光部１３０、１３５よりも上方に位置する。下面１１６は、電装基板６０がパネル本体部１００に組み付けられた状態で、電装基板６０の上端部６２よりも上方に位置し、上端部６２との間に、後述するケーブル５０の端子部５１が通過可能な間隙Ｇ（図６参照）を有する。また、上壁部１１５は、下面１１６において導光部１３０、１３５の後面よりも後方の位置から下方に突出し、先端部１０５Ａが前方へ向けて鉤状に屈曲する引掛部１０５を備える。引掛部１０５は導光部１３０の上方に位置し、ケーブル５０の貫通穴１２０よりも右側において敷設される部分を掛け留める。
【００４４】
前壁部１１０は、貫通穴１２０の縁部右側に、後面１１１から後方に突出する案内壁部１０６を有する。案内壁部１０６は、円弧状の板状に突出し、パネル本体部１００の上側部分１０２の右壁部１１８との間に間隙を有する。右壁部１１８と案内壁部１０６は、夫々、導光部１３０、１３５の後面よりも後方に延びる。案内壁部１０６の後端部１０６Ａは、右壁部１１８側（右側）に鉤状に屈曲する。案内壁部１０６はケーブル５０の貫通穴１２０よりも右側において敷設される部分を掛け留める。
【００４５】
また、前壁部１１０の左上角部には、開口部１１２が形成される。開口部１１２内には、赤外線送信部１１２Ａが配置される。赤外線送信部１１２Ａは、ガスコンロ１の駆動に連動する換気扇（図示略）等の操作に用いられる。
【００４６】
上側部分１０２の後面には、電装基板６０が固定される。図５に示すように、電装基板６０は左右方向に長く延び、貫通穴１２０、１２５に干渉しないように、下端部６３Ａ、６３Ｂが二双の円弧状に形成される。電装基板６０は片面実装型の基板であり、実装面６１にのみ電子部品が実装される。実装面６１には、複数のＬＥＤ６５Ａ、６５Ｂと、ＬＥＤ６５Ａ、６５Ｂに通電するケーブル５０の端子部５１が接続されるコネクタ６６が設けられる。
【００４７】
ＬＥＤ６５Ａは、貫通穴１２０側の下端部６３Ａに沿って円弧状に並んで配置される。ＬＥＤ６５Ｂは、貫通穴１２５側の下端部６３Ｂに沿って円弧状に並んで配置される。本実施形態では、ＬＥＤ６５Ａ、６５Ｂは、夫々７つ設けられる。ＬＥＤ６５Ａ、６５Ｂは実装面６１上で、導光部１３０、１３５の各筒穴１３１、１３６の形成位置に対応する位置に実装される。電装基板６０がパネル本体部１００に組み付けられると、導光部１３０、１３５の後面に実装面６１が当接し、筒穴１３１、１３６の後側開口が閉じられる。各ＬＥＤ６５Ａ、６５Ｂは各筒穴１３１、１３６内に配置される。
【００４８】
コネクタ６６は、実装面６１の左右方向の略中央で、ＬＥＤ６５Ａの左斜め上方、且つＬＥＤ６５Ｂの右斜め上方に配置される。コネクタ６６の下部は、複数のＬＥＤ６５Ａのうち、最も上部に配置されるＬＥＤ６５Ａよりも下側に配置される。ケーブル５０の端子部５１がコネクタ６６に接続された場合で、端子部５１の上端部は電装基板６０の上端部６２よりも突出する。実装面６１におけるコネクタ６６の表面高さＤ、即ちコネクタ６６が実装面６１から前方に突出する長さは、導光部１３０、１３５が前壁部１１０から後方へ向けて延びる長さＬよりも小さい（図３参照）。
【００４９】
図２に示すように、鍔付筒部７０は、本体部７１とフランジ部７６を備える。本体部７１は前後方向に延びる円筒形状を呈する。本体部７１の外径はパネル本体部１００の貫通穴１２０、１２５の内径より小さく、内径は操作つまみ１１、１３、１４の外径より大きい（図３参照）。本体部７１は周方向の３ヶ所に、２つのフック７５と１つの係合部７４を有する。２つのフック７５は、貫通穴１２０、１２５の後面に掛け留められ、鍔付筒部７０を、軸心ＡＸを中心に回転可能に保持する。係合部７４は、ＬＥＤ操作部材３６の係合片３７に係合する。本体部７１において、係合部７４を周方向の両側から挟む部分は夫々後方へ延び、係合片３７を外れにくくする。フランジ部７６は、本体部７１の前端部分にて径方向外向きに突出し、周方向に一周する鍔状に形成される。フランジ部７６は、切り欠き状の光通過部７７を有する。
【００５０】
図３に示すように、化粧パネル８０は、パネル本体部１００の上側部分１０２の前側に組み付けられる板状体である。化粧パネル８０は、前後方向に貫通する２つの開口部８６Ａ、８６Ｂと、夫々の開口部８６Ａ、８６Ｂの上部に配列される複数の透光部８１Ａ、８１Ｂと、左側の開口部８６Ｂの斜め左上に形成される窓部８２を有する。化粧パネル８０は正面視略長方形状であり、上端部にスライドロック８５を備える。化粧パネル８０をパネル本体部１００の上側部分１０２に組み付けたとき、スライドロック８５を右側にスライドすると、化粧パネル８０がパネル本体部１００に固定される。
【００５１】
開口部８６Ａ、８６Ｂは左右方向に並んで形成される。開口部８６Ａ、８６Ｂの内径は、夫々、操作つまみ１３、１４の外径より大きい。２つの開口部８６Ａ、８６Ｂ内には夫々、操作つまみ１３、１４が配置される。透光部８１Ａ、８１Ｂは、化粧パネル８０をパネル本体部１００の上側部分１０２に組み付けたときの導光部１３０、１３５の夫々の形成位置に対応する位置に設けられる。透光部８１Ａ、８１Ｂ、ＬＥＤ６５Ａ、６５Ｂから出射され、導光部１３０、１３５を介して後面から入射する光を、内部を通して前面に導き、前面から前方へ出射する。また、窓部８２は、赤外線送信部１１２Ａ（図４参照）から送信される赤外線を通過する。
【００５２】
次に、電装基板６０の組み付けについて説明する。図３、図６に示すように、電装基板６０は、実装面６１（図５参照）を前方へ向けた状態で、パネル本体部１００の前壁部１１０の後面１１１側に配置される。電装基板６０の下端部６３Ａ右側の下端６４Ａが、貫通穴１２０の右側の突起部１１４に当接し、下端部６３Ｂ左側の下端６４Ｂが、貫通穴１２５の左側の突起部１１４に当接することによって、電装基板６０が位置決めされる。
【００５３】
コネクタ６６は、導光部１３０の左側面１３２と、導光部１３５の右側面１３７と、前壁部１１０の後面１１１とで形成される凹部状の領域Ｓ（図４参照）内に配置される。よってコネクタ６６は左側面１３２及び右側面１３７に接触せず、導光部１３０、１３５と干渉しない。コネクタ６６の表面高さＤは、導光部１３０、１３５が前壁部１１０の後面１１１から突出する長さＬより小さい。よってコネクタ６６は後面１１１に接触せず、前壁部１１０とも干渉しない。各ＬＥＤ６５Ａ、６５Ｂは各筒穴１３１、１３６内に配置される。よって実装面６１は、導光部１３０、１３５の後面に当接することができる。電装基板６０は固定部１１３にネジ止めされ、パネル本体部１００に組み付けられる。実装面６１が導光部１３０、１３５の後面に密接するので、ＬＥＤ６５Ａ、６５Ｂが発する光は筒穴１３１、１３６から漏れない。
【００５４】
電装基板６０は片面実装型であるので、後面には電子部品が配置されていない。ケーブル５０は、ガスコンロ１のコントローラ（図示略）と電装基板６０を電気的に接続する。ケーブル５０の端子部５１は、電装基板６０の固定前に、予め、コネクタ６６に接続される。ケーブル５０は電装基板６０の上端部６２とパネル本体部１００の上壁部１１５の下面１１６との間隙Ｇを通り、電装基板６０の後面側に引き出される。間隙Ｇは、上下方向において、ケーブル５０の端子部５１が通過可能な大きさを有する。故に端子部５１は、電装基板６０をパネル本体部１００に組み付けた後からでも、コネクタ６６に取り付けたり、コネクタ６６から取り外したりすることができる。
【００５５】
コントローラからのケーブル５０は、前壁部１１０の左角部に設けられる赤外線送信部１１２Ａと、パネル本体部１００の下側部分１０１に設けられる操作パネル（図示略）にも配線される。赤外線送信部１１２Ａに配線されるケーブル５０は、端子部５１の近くにおいて分岐され、上壁部１１５の下面１１６に沿って左方に敷設される。操作パネルに配線されるケーブル５０は、端子部５１の近くにおいて分岐され、上壁部１１５の下面１１６に沿って右方に敷設され、引掛部１０５の先端部１０５Ａに引っ掛けられる。これにより、ケーブル５０は電装基板６０の後面側で下方に垂れず、下面１１６の直下において敷設されるので、例えば煮汁がパネル本体部１００内に進入しても、ケーブル５０には付着しにくい。
【００５６】
更にケーブル５０は、右壁部１１８の左面に沿って下方に敷設される。ケーブル５０は、右壁部１１８と案内壁部１０６の間を通る経路で敷設され、下側部分１０１の操作パネルに接続される。故にケーブル５０は、貫通穴１２０内に配置される操作つまみ１３や、奥バーナ６用の燃料供給装置２０に接触することが防止される。
【００５７】
図３に示すように、電装基板６０が組み付けられたパネル本体部１００の裏面には、左バーナ５用の燃料供給装置２０と、奥バーナ６用の燃料供給装置２０とが、左右に並べられた状態で、取付金具３３を用い、ネジで固定される。ＬＥＤ操作部材３６の係合片３７は、鍔付筒部７０の係合部７４に係合する。よって鍔付筒部７０は、ＬＥＤ操作部材３６が固定される火力調節カム２６が軸心ＡＸの周りを回転するとき、パネル本体部１００の貫通穴１２０、１２５内で軸心ＡＸを中心に回転する。
【００５８】
電装基板６０のＬＥＤ６５Ａ、６５Ｂは、安全弁の開放時に全てが点灯する。前述したように、操作つまみ１３、１４が操作位置にあるとき、火力調節カム２６は操作つまみ１３、１４と連結し、操作つまみ１３、１４の回動操作に応じて奥バーナ６、左バーナ５の火力を調節することができる。操作つまみ１３、１４が回転すると、鍔付筒部７０はＬＥＤ操作部材３６を介して火力調節カム２６と共に軸心ＡＸの周りを回転する。フランジ部７６は、光通過部７７と重なる位置を除き、導光部１３０、１３５の筒穴１３１、１３６を介して前方に照射されるＬＥＤ６５Ａ、６５Ｂの光を遮る。操作つまみ１３、１４が回転され、火力が変更されると、光通過部７７が軸心ＡＸの周りを周方向に移動し、ＬＥＤ６５Ａ、６５Ｂの光が通過可能となる導光部１３０、１３５が周方向の並びに従って変更される。光通過部７７を通過したＬＥＤ６５Ａ、６５Ｂの光は、導光部１３０、１３５に対応する透光部８１Ａ、８１Ｂを介することによって、化粧パネル８０の表面において点灯表示される。よってパネル装置９Ｂは、化粧パネル８０の表面においてＬＥＤ６５Ａ、６５Ｂの光が点灯した位置によって、火力表示を行うことができる。
【００５９】
以上説明したように、２つの導光部１３０、１３５は、コネクタ６６の表面高さＤよりも長い長さＬで前後方向に延びる。固定部１１３に電装基板６０を固定したとき、導光部１３０、１３５が電装基板６０のＬＥＤ６５Ａ、６５Ｂに対向するので、実装面６１と前壁部１１０の後面１１１との間には、導光部１３０、１３５の前後方向の長さ分の間隙が形成される。また、導光部１３０、１３５が隣り合う貫通穴１２０、１２５の縁部上側に夫々位置する形態であるので、２つの導光部１３０、１３５の側面のうち、隣の導光部１３０、１３５側に位置する左側面１３２、右側面１３７は、左右方向において間隙を形成する。よって、導光部１３０、１３５の左側面１３２、右側面１３７と前壁部１１０の後面１１１との間には、コネクタ６６を配置可能な領域Ｓが形成される。電装基板６０の実装面６１において、電装基板６０を固定部１１３に固定した時に上記の領域Ｓ内にコネクタ６６が配置される部位にコネクタ６６を実装することで、コネクタ６６が前壁部１１０とも導光部１３０、１３５とも干渉することなく、電装基板６０をパネル装置９Ｂに組み付けることができる。故に、電装基板６０として片面実装型の電装基板６０を使用することができ、ガスコンロ１の製造コストを低減することができる。
【００６０】
導光部１３０、１３５を構成する夫々の筒状体の筒穴１３１、１３６内にＬＥＤ６５Ａ、６５Ｂを夫々配置し、実装面６１を固定部１１３に当接させて電装基板６０を固定することで、導光部１３０、１３５からの光漏れを抑制することができる。また、筒穴１３１、１３６を介することで効率よくＬＥＤ６５Ａ、６５Ｂの光を前方に照射することができるので、操作つまみ１３、１４の回動位置に対応する火力表示の認識性を高めることができる。
【００６１】
ガスコンロ１の使用時に煮汁等がこぼれてパネル装置９Ｂ内に進入したとき、上壁部１１５は、煮汁が電装基板６０に付着することを防止することができる。また、コネクタ６６に接続されるケーブル５０を引掛部１０５に引っ掛けることで、パネル装置９Ｂ内でケーブル５０が上壁部１１５の下側に配置されるように位置決めすることができるので、煮汁がケーブル５０に付着し、ケーブル５０を伝って電装基板６０に付着することを防止することができる。
【００６２】
コネクタ６６が電装基板６０の上端部６２寄りにあり、パネル装置９Ｂの上壁部１１５と上端部６２との間に、ケーブル５０の端子部５１の大きさに対応する間隙Ｇが設けられている。故に、電装基板６０を固定部１１３に固定した状態でもコネクタ６６にケーブル５０の端子部５１を抜き差しできるので、ガスコンロ１内におけるケーブル５０の取り回しを容易に行うことができる。
【００６３】
パネル装置９Ｂ内でケーブル５０が右壁部１１８と案内壁部１０６の間を通る経路で敷設されるように位置決めすることができるので、ケーブル５０が燃料供給装置２０に接触することを防止できる。
【００６４】
なお、本発明は上記実施形態に限定されるものではなく、種々の変更が可能である。導光部１３０、１３５は、円弧状に配列されていなくてもよい。例えば、図７に示すように、パネル装置９Ｂのパネル本体部１００における電装基板６０の組み付け構造を、導光部２３５が円弧状に配列されていない、パネル装置９Ａのパネル本体部２００にも適用できる。パネル本体部２００の右側の貫通穴２２０内には、右バーナ４用の燃料供給装置２０の操作つまみ１１が配置される。右バーナ４の火力表示を行うための導光部２３０は、左バーナ５の火力表示を行う導光部１３０と同様の構成であり、貫通穴２２０の縁部上側において円弧状に配置される。一方、グリルバーナ用の燃料供給装置は、複数のスイッチによって電磁弁の開閉状態を切り替える。故に、グリルバーナの火力表示は、例えば３列２段に配置した６つのＬＥＤによって行われ、グリルバーナ用の導光部２３５も、３列２段に配置される。このような構成のパネル本体部２００においても、導光部２３０の左側面２３２と、導光部２３５の右側面２３７と、前壁部２１０の後面２１１とで凹部状の領域Ｓを形成することができ、電装基板のコネクタ２６６を、領域Ｓ内に配置することができる。
【００６５】
引掛部１０５、案内壁部１０６は、夫々複数あってもよい。または、引掛部１０５、案内壁部１０６はなくてもよい。あるいは、上壁部１１５側に案内壁部を設け、右壁部１１８側に引掛部を設けてもよい。ＬＥＤ６５Ａ、６５Ｂは、導光部１３０、１３５の数の分なくてもよく、少数のＬＥＤと拡散板を用い、導光部１３０、１３５の筒穴１３１、１３６内にＬＥＤ光が導かれるようにしてもよい。
【００６６】
電装基板６０の上端部６２と上壁部１１５の下面１１６との間隙Ｇは、コネクタ６６に接続するケーブル５０の端子部５１が通過できない大きさであってもよい。この場合、ケーブル５０の途中に、挿抜可能なコネクタを設けてもよい。また、赤外線送信部１１２、操作パネル、電装基板６０は、夫々異なる経路で配線されてもよい。
【００６７】
上記説明において、右バーナ４、左バーナ５、奥バーナ６、グリルバーナが、本発明の「バーナ」の一例である。ＬＥＤ６５Ａ、６５Ｂが、本発明の「発光部」の一例である。ケーブル５０が、本発明の「信号線」の一例である。左側面１３２、２３２、右側面１３７、２３７が、本発明の「側面」の一例である。右壁部１１８が、本発明の「側壁部」の一例である。
【符号の説明】
【００６８】
１                                  ガスコンロ
２                                  筐体
４                                  右バーナ
５                                  左バーナ
６                                  奥バーナ
９Ａ、９Ｂ                          パネル装置
１１〜１４                          操作つまみ
２０                                燃料供給装置
２１                                操作部
５０                                ケーブル
５１                                端子部
６０                                電装基板
６１                                実装面
６５Ａ、６５Ｂ                      ＬＥＤ
６６、２６６                        コネクタ
１０５                              引掛部
１０５Ａ                            先端部
１０６                              案内壁部
１１０、２１０                      前壁部
１１１、２１１                      後面
１１３                              固定部
１１５                              上壁部
１１６                              下面
１１８                              右壁部
１２０、１２５、２２０、２２５      貫通穴
１３０、１３５、２３０、２３５      導光部
１３２、２３２                      左側面
１３７、２３７                      右側面
Ｄ                                  表面高さ
Ｌ                                  長さ
Ｓ                                  領域
Ｇ                                  間隙
【図１】
2019035511.tif 000003
【図２】
2019035511.tif 000004
【図３】
2019035511.tif 000005
【図４】
2019035511.tif 000006
【図５】
2019035511.tif 000007
【図６】
2019035511.tif 000008
【図７】
2019035511.tif 000009